(57)【要約】【課題】    自動回転機構を提供する。【解決手段】    メインホイールと、第１補助ホイールと、第２補助ホイールと、ヘビー可動ホイールと、重力回転金属ベルトと、制動器と、を包含する。第１補助ホイールは、メインホイールの上方に位置し、第２補助ホイールと、ヘビー可動ホイールとは、メインホイールの両側に位置する。重力回転金属ベルトは、フレキシブル金属ベルトと、フレキシブル金属ベルトの一外側に固定された複数のヘビーブロックとを備える。制動器は、可動ホイールと重力回転金属ベルトとを上方ヘ移動させることができる。制動器が、重力回転金属ベルトと、可動ホイールの下方から移出されると、重力回転金属ベルトヘビーと、可動ホイールとが特定の距離を下向きに移動して、運動エネルギーを生じ、重力回転金属ベルトと、第２補助ホイールとを回転させることで、動力を出力させる。【選択図】    図１
2008038795.tif 000002
【特許請求の範囲】
【請求項１】
少なくとも
メインホイールと、
前記メインホイールの上方に位置する第１補助ホイールと、
前記メインホイールの一側に位置する第２補助ホイールと、
前記メインホイールの他の一側に位置しかつ重量が前記メインホイールと、前記第１補助ホイールと、第２補助ホイールの重量より大きいヘビー可動ホイールと、
フレキシブル金属ベルトと、前記フレキシブル金属ベルトの外側に固定された複数のヘビーブロックとから構成され、隣接する前記ヘビーブロックの間には特定の幅のギャップが設けられ、かつ前記フレキシブル金属ベルトを前記第１補助ホイールと、前記第２補助ホイールと、前記ヘビー可動ホイールとに掛け渡し、さらに、メインホイールを前記重力回転金属ベルトの下方に配置して支持された重力回転金属ベルトと、
前記ヘビー可動ホイールの下方かつ前記重力回転金属ベルトの外側に配置することで、前記ヘビー可動ホイールと、前記重力回転金属ベルトとを上昇させて前記重力回転金属ベルトを制動し、前記ヘビー可動ホイールの下方から移動させれたとき、前記ヘビー可動ホイールと前記重力回転金属ベルトとを下向きに特定の距離を移動させることで、運動エネルギーを発生して前記重力回転金属ベルトを回転させる制動器と、を包含することを特徴とする自動回転機構。
【請求項２】
前記第２補助ホイールが、さらに回転エネルギーを出力するための動力出力軸を包含することを特徴とする請求項１記載の自動回転機構。
【請求項３】
さらに、前記動力出力軸に連結されて、電力を発電するための発電機を包含することを特徴とする請求項２記載の自動回転機構。
【請求項４】
前記発電機と前記動力出力軸とは、ベルトで連結されていることを特徴とする請求項３記載の自動回転機構。
【請求項５】
回転可能の挺子構造と位置エネルギーの変化とを利用して運動エネルギーを発生しながら、重力回転金属ベルトを回転させることを特徴とする請求項１記載の自動回転機構。
【請求項６】
前記ヘビー可動ホイールの軸と前記メインホイールの軸との第1距離が、前記第２補助ホイールの軸と前記メインホイールの軸との第２距離より長いことを特徴とする請求項１記載の自動回転機構。
【請求項７】
前記第１距離が、前記第２距離よりも２倍長いことを特徴とする請求項６記載の自動回転機構。
【請求項８】
前記ヘビー可動ホイールの重量が、前記第２補助ホイールの重量の約４倍であることを特徴とする請求項１記載の自動回転機構。
【請求項９】
前記フレキシブル金属連結装置が、フレキシブル金属ベルトであることを特徴とする請求項８記載の自動回転機構。
【請求項１０】
前記ヘビーブロックが、プラスチックと、ガラスブロックと、コンクリートの群から選ばれたものであることを特徴とする請求項１記載の自動回転機構。
【発明の詳細な説明】
【技術分野】
【０００１】
本発明は、自動回転機構に関し、特にヘビー可動ホイールと、重力回転金属ベルトとを備えた自動回転機構に関する。
【背景技術】
【０００２】
商工業の発展及び快適な生活が要求されるに伴って、電力の需要と依頼の程度は日増しに増加する一方である。一般に電力は、主として核エネルギー、石炭、オイル、ガス、風力、地熱、太陽エネルギーなどから発生される電力によって供給される。
【０００３】
地球上でのエネルギー源は、次第に使い尽くされつつある。しかしながら、エネルギー源の使用量は、日に日に増加している。これでは環境の負担になるばかリでなく、ひいては環境を悪化させることになる。地球上に限りあるエネルギー源からみて、新たなエネルギー源を開発することは、目下すべての科学者の急務である。
【０００４】
目前、一般に発電に使用されるエネルギーのうち、核エネルギーによる発電の利害得失は互角である。特に、環保意識が高い現今では、原子力発電の発展は、ずっと論争の的となっている。また、水力を利用した発電では、殆どの利用できる水力資源は、既に開発済みで、さらに、水力発電の自然環境に対するショックは、ずっと非難を浴びてきている。そのために、発展の余地に限りがある。また、石炭の燃焼による環境問題と、地球温暖化の問題も未だに解決されていないのが現状である。
【０００５】
そこで、予知できる将来のエネルギー欠乏の問題において、新規エネルギー源が未開発である状況下で、如何なる方法や機構を利用してでも発電することで、人類全体が直面する共通のエネルギー源危機に対応することは、必然的な結果である。
【発明の開示】
【発明が解決しようとする課題】
【０００６】
本発明の目的は、重力回転金属ベルトの運動エネルギーを利用して、発電機を駆動することで、安価な電力を供給する自動回転機構を提供することにある。
【０００７】
本発明の他の目的は、自動的に回転して、任意の他の設備を駆動するための動力出力を発生する自動回転機構を提供することにある。
【課題を解決するための手段】
【０００８】
前記目的を達成するために、本発明の自動回転機構は、メインホイールと、第１補助ホイールと、第２補助ホイールと、ヘビー可動ホイールと、重力回転金属ベルトと、制動器（ａｒｒｅｓｔｅｒ）と、を包含する。第１補助ホイールは、好ましくはメインホイールの上方に配置され、第２補助ホイールと、ヘビー可動ホイールとは好ましくはそれぞれがメインホイールの両側に配置されている。ヘビー可動ホイールの重量は、例えばメインホイールと、第１補助ホイール及び／または第２補助ホイールの重量より４〜６倍重く設定されている。
【０００９】
重力回転金属ベルトは、フレキシブル金属ベルトと、フレキシブル金属ベルトの外側に固設された複数のヘビーブロックとを包含する。隣接するヘビーブロックの間は、特定の幅を有するギャップで隔離されている。そして、フレキシブル金属ベルトは、第１補助ホイールと、第２補助ホイールと、ヘビー可動ホイールと、に掛け渡され、さらに、メインホイールが、重力回転金属ベルトの下方に配置されて、支点を形成することにより重力回転金属ベルトを支持している。
【００１０】
重力回転金属ベルトを停止させるための制動器は、ヘビー可動ホイールの下方かつ重力回転金属ベルトの外側に配置されて、ヘビー可動ホイールと、重力回転金属ベルトとを上昇させるようになっている。制動器がヘビー可動ホイールの下方から移動させれたとき、ヘビー可動ホイールと重力回転金属ベルトとが下向きに特定の距離を移動させられることで、運動エネルギーを発生して重力回転金属ベルトを回転させるようになっている。そして第２補助ホイールも重力回転金属ベルトに駆動されて回転エネルギーを出力するようになっている。
【００１１】
ここで、好ましくは第２補助ホイールが、動力出力軸を包含することにより、回転エネルギーを出力するようにする、さらに好ましくは発電機に連結して電力を発電させる。例えば、Ｖベルトや台形ベルトなどを使用して動力出力軸と、発電機とを連結することができる。
【００１２】
前記ヘビー可動ホイールの軸と、メインホイールとの軸の距離は、第２補助ホイールの軸と、メインホイールとの軸の距離よりも大きく設定されてある。好ましくは少なくとも２倍である。
【００１３】
また、ヘビー可動ホイールの重量は、好ましくは少なくとも第２補助ホイールの重量よりも約４〜６倍重く設定する。フレキシブル金属ベルトは、フレキシブル金属ベルト、または複数の回転可能のヒンジで構成されている。また、ヘビーブロックは、好ましくは金属ブロックである。
【００１４】
このようにすることで、本発明の自動回転機構は、重力回転金属ベルトを利用することで、運動エネルギーを発生して直接機械または、発電機を駆動して安価な電力を供給することができる。
【発明を実施するための最良の形態】
【００１５】
以上の態様及び本発明に付随する利点は、次の詳細な説明と、添付の図面を参照することによって、明らかにされよう。この技術に熟知した技術者は、当然のことながら、本発明の好ましい実施例を了解後、本発明の示す技術に基づき修正を加えることができるが、それらは本発明の精神と範囲から逸脱できるものではない。
【００１６】
図１は、本発明の自動回転機構の好ましい一実施例を示す概略図である。図に示すように、自動回転機構１００は、メインホイール１４０と、第１補助ホイール１１０と、第２補助ホイール１３０と、ヘビー可動ホイール１６０と、制動器１７０と、重力回転金属ベルト１２０と、を包含する。
【００１７】
重力回転金属ベルト１２０は、第１補助ホイール１１０と、第２補助ホイール１３０と、ヘビー可動ホイール１６０の外回りに掛け渡され、さらにメインホイール１４０で重力回転金属ベルト１２０の下方を支持している。制動器１７０は、ヘビー可動ホイール１６０の下方に配置されて、重力回転金属ベルト１２０と、ヘビー可動ホイール１６０とを支持している。自動回転機構１００を起動するときは、この制動器１７０を外側に向けて引っ込ませることによって重力回転金属ベルト１２０と、ヘビー可動ホイール１６０とを開放するようになっている。ヘビー可動ホイール１６０の重量は、メインホイール及び／または補助ホイールよりも重いために、重力回転金属ベルト１２０とヘビー可動ホイール１６０とは、下向きに特定の高さを移動する。そこで、位置エネルギーの変化によって、重力回転金属ベルト１２０が回転し始めるようになる。
【００１８】
重力回転金属ベルト１２０は、フレキシブル金属ベルト１２４と、その上に固定された複数のヘビーブロック１２２とから構成されている。ヘビーブロック１２２は、中空ではない固体、例えば、金属、プラスチック、ガラス及びコンクリートであることが好ましい。フレキシブル金属ベルト１２４は、複数の回転可能のヒンジ及び／またはフレキシブル金属ベルトで構成されることが好ましい。また、それぞれのヘビーブロック１２２に特定の重量を持たせることで、重力回転金属ベルト１２０全体の総重量が、メインホイール１４０及び／または補助ホイールより、例えば６倍以上と重く設定されてある。
【００１９】
隣接しているそれぞれのヘビーブロック１２２の間は、ギャップ１２６によって隔離されて、重力回転金属ベルト１２０が、メインホイール１４０と、第１補助ホイール１１０と、第２補助ホイール１３０と、ヘビー可動ホイール１６０とを移動できるようになっている。また、重力回転金属ベルトが逆方向に回転するときは、このギャップ１２６が互いに密着するようになっている。そのために、重力回転金属ベルト１２０が、メインホイール１４０と、ヘビー可動ホイール１６０との間で挺子構造を形成するようになっている。
【００２０】
図２は、本発明の自動回転機構の重力回転金属ベルトにおける好ましい一実施例を示す概略図である。重力回転金属ベルト２００は、フレキシブル金属連結装置としてのフレキシブル金属ベルト２２０と、ヘビーブロック２１０とから構成されている。それぞれのヘビーブロック２１０の間は、特定のギャップによって隔離されている。重力回転金属ベルト２００が、フレキシブル金属ベルト２２０の方向に向かって回転しているときは、ギャップ２１２の幅はフレキシブル金属ベルト２２０からの距離に比例して広くなっている。逆に、重力回転金属ベルト２００が、フレキシブル金属ベルト２２０の逆方向に向かって回転しているときは、隣接したヘビーブロック２１０同士相互が次第に接近して接触する。つまりギャップ２１４の幅は、ヘビーブロックの先端部では、０になる。
【００２１】
再び図１に戻って、制動器１７０が、ヘビー可動ホイール１６０の下方から移動させられると、メインホイール１４０とヘビー可動ホイール１６０との間における重力回転金属ベルト１２０のヘビーブロック１２２同士が接触する。このとき、メインホイール１４０が、挺子の支点となり、ヘビー可動ホイール１６０が挺子の力点となる。ここで、メインホイール１４０の軸と、ヘビー可動ホイール１６０の軸は、水平に対して約２０〜３０度の角度をなすことが好ましい。ヘビー可動ホイール１６０と重力回転金属ベルト１２０の重量は、メインホイール１４０とその他の補助ホイールの重量よりも重いので、制動器１７０が、ヘビー可動ホイール１６０の下方から外側へ移動したとき、重力回転金属ベルト１２０と、補助ホイールの外回りに回転させられることになる。
【００２２】
また、重力回転金属ベルト１２０と、ヘビー可動ホイール１６０の重量が、その他のメインホイール１４０と、第１補助ホイール１１０と、第２補助ホイール１３０の重量よりも重い。また、メインホイール１４０と、第１補助ホイールと、第２補助ホイールとは、好ましくは比較的軽い材料及び／または構造で構成されているので、それらの回転摩擦係数は非常に小さい。そのために、重力回転金属ベルト１２０が回転し始めれば、ヘビー可動ホイール１６０も回転し、メインホイール１４０と、第１補助ホイール１１０と、第２補助ホイール１３０も回転し始める。また、重力回転金属ベルト１２０とヘビー可動ホイール１６０の重量はかなりの重さがあるので、回転によって生じた動力を第２補助ホイール１３０における動力出力軸１３２を介して出力させることができる。動力出力軸１３２は、直接動力を必要とする機械設備に連結してもよく、あるいはヘルト、例えば、Ｖベルトまたは台形ベルトを介して連結してもよい。また、動力出力軸１３２を発電機１８０に連結して電力を発電するようにしてもよい。
【００２３】
また、メインホイール１４０の軸と、ヘビー可動ホイール１６０の軸の距離は、メインホイール１４０の軸と、第２補助ホイール１３０の軸の距離よりも長いことが好ましい。また、少なくとも２倍あることが好ましい。また、本発明の自動回転機構１００は、さらに回転金属ベルト１２０を支持するための第３補助ホイール１５０を包含させることが好ましい。この第３補助ホイール制動器１７０は、特に制動器１７０がヘビー可動ホイール１６０の下方から移動させれたとき、その上方における重力回転金属ベルト１２０を支持することで、重力回転金属ベルト１２０が下方ヘ撓むのを防止することができる。第３補助ホイール１５０の重量は、ヘビー可動ホイール１６０の重量よりも軽いことが好ましい。例えば、ヘビー可動ホイール１６０の重量は、第２補助ホイール１３０よりも約２倍重く、第１補助ホイール１１０あるいは第３補助ホイールよりも約４倍重くし、さらに好ましくは６倍重くする。
【００２４】
（発明の効果）
ヘビー可動ホイール１６０と、重力回転金属ベルト１２０の重量が非常に重いために、ヘビー可動ホイール１６０と重力回転金属ベルト１２０の両者は、位置エネルギーの変化によって、回転し始める。ヘビー可動ホイール１６０と重力回転金属ベルト１２０が回転し始めると、それらに関連したメインホイールと補助ホイールが回転し、連続的に動力を必要とする機械設備に回転動力を出力することができる。回転動力は、動力出力軸１３２を介して直接出力させるかあるいは発電機を介して電力を発電してもよい。よって、本発明之自動回転機構は、安価な電力と、機械設備の稼動動力とを供給することができる。
【００２５】
この技術に熟知する者が分るように、本発明は前記の好適な実施例に限定されるものではない。当然のことながら、各種の修飾と均等な変更はすべてが請求項の範囲内に包含されるべきである。
【図面の簡単な説明】
【００２６】
【図１】本発明の自動回転機構の好ましい一実施例を示す概略図である。
【図２】本発明の自動回転機構の重力回転金属ベルトにおける好ましい一実施例を示す概略図である。
【符号の説明】
【００２７】
１００    自動回転機構
１１０    第１補助ホイール
１２０    重力回転金属ベルト
１２２    ヘビーブロック
１２４    フレキシブル金属ベルト
１２６    ギャップ
１３０    第２補助ホイール
１３２    動力出力軸
１４０    メインホイール
１５０    第３補助ホイール
１６０    ヘビー可動ホイール
１７０    制動器
１８０    発電機
１８２    ベルト
２００    重力回転金属ベルト
２１０    ヘビーブロック
２１２    ギャップ
２１４    ギャップ
２２０    フレキシブル金属ベルト
【図１】
2008038795.tif 000003
【図２】
2008038795.tif 000004